(57)【要約】【課題】電気的負荷物が軸を中心に回転する機能を持つ構造物において、ケーブル等が曲がったり捩れたりすることによって起こる断線の恐れを少なくし、導体部分以外に特別な装置等を必要とせず、且つ、少ない部品数と組立工程数で構成される自由な曲がりや捩れが可能であるフレキシブル導体を提供する。【解決手段】異なる大きさの内空の略球体の構造物を連設し、略だるま状に形成した素子を複数個連結し、連結した状態において隣接する素子同士を回動可能にした。【選択図】図４
2009140836.tif 000002
【特許請求の範囲】
【請求項１】
異なる大きさの内空の略球体の構造物を連設し、略だるま状に形成した素子を複数個連結し、連結状態において隣接する前記素子同士が回動可能であることを特徴とするフレキシブル導体。
【請求項２】
前記フレキシブル導体において、小さい構造物にスリットを設けたことを特徴とする請求項１に記載のフレキシブル導体。
【発明の詳細な説明】
【技術分野】
【０００１】
本発明は、フレキシブル導体に関するものである。
【背景技術】
【０００２】
従来、機器に電気を供給する際には電気ケーブル等を使用していた。
【０００３】
しかし、それら機器が軸を中心に回転する機能を持つものであれば、電気ケーブルが曲がりや捩れにより断線の恐れがあった。
【０００４】
この改善策として特許文献１に記載されているような、複数の成形した薄板導体を相互間に空間ギャップを設けながら弓形に重ね合せ、これらの各端部をターミナル部によって一体化し、空間ギャップ部に絶縁物を介挿したフレキシブル導体を用いることが考えられる。
【０００５】
また、特許文献２に記載されている発明のように駆動箇所のケーブルに撓みを持たせて曲がりを可能にすることも考えられる。
【特許文献１】特開昭５８−１６５２１０
【特許文献２】特開２００４−５６９４８
【発明の開示】
【発明が解決しようとする課題】
【０００６】
しかしながら、特許文献１に記載の発明では導体部分に加えて別の部材が必要であり、導体部分以外のコストが発生するという欠点があった。加えて、この発明でも捩れには対応できないという欠点があった。
【０００７】
また、特許文献２に記載の発明においても導体以外の部品が必要であり、撓みを持たせるために実際の使用分よりも長くケーブルが必要となり、これに伴いコストが発生するという欠点があった。
【０００８】
このため、本発明によって解決しようとする課題は、電気的負荷物が軸を中心に回転する機能を持つ構造物において、ケーブルの曲がりや捩れから起こる断線の恐れを少なくし、且つ、少ない部品数と組立工程数で構成されるフレキシブル導体を提供することにある。
【課題を解決するための手段】
【０００９】
上記した課題を解決するためになされた本発明のフレキシブル導体は、異なる大きさの内空の略球体の構造物を連設し、略だるま状に形成した素子を複数個連結し、連結状態において隣接する素子同士を回動可能にしたものである。
【発明の効果】
【００１０】
本発明のフレキシブル導体によれば、異なる大きさの内空の略球体の構造物を連設し、略だるま状に形成した素子を複数個連結し、連結状態において隣接する素子同士を回動可能としているため、電気的負荷物が軸を中心として回転する構造物などの負荷物から軸への電気的な接続として使用することで、曲がりや捩れ等による断線の恐れが少なく、且つ、少ない部品数と組立工程数で構成される導体によって安定した電力の提供ができる。
【００１１】
又、連設した異なる大きさの内空の略球体の構造物のうち、小さい構造物にスリットを設けたため、隣接する素子同士の連結を容易にし、且つ、反発力から電気的接合を高めることができ、素子と素子の分離を防ぐことが出来る。
【００１２】
又、隣接する素子と素子を連結させ、且つ、曲がった状態では、連設した異なる大きさの構造物のうち大きい構造物が隣接する大きい構造物に対して支える態様をとり、過剰な曲がりを防ぐことができる。
【００１３】
又、隣接する素子と素子を連結させる構造であるため、必要な数の素子だけ連結させれば良く、長さの調節ができるため材料等の無駄を少なくすることができる。
【発明を実施するための最良の形態】
【００１４】
本発明では、曲がりや捩れから起こる断線の恐れを少なくするための構造を少ない部品数、組立工程数で可能にした。
【実施例１】
【００１５】
以下、本発明の実施の形態を説明する。
素子４が持つ連設した異なる大きさの内空の略球体の構造物を球面とし、大きい球面１に小さい球面２を組み合わせて連結させたものを素子連５とし、大小二種類の素子連５を設け、大きい素子を連結させたものを大素子連とし、小さい素子を連結させたものを小素子連とする。これら素子連５の、大素子連を絶縁物で構成して絶縁体素子連７とし、小素子連を導体素子で構成して導体素子連８とする。電気的に導通可能な導体素子連８を絶縁体素子連７に入れ込む事で自由な曲がりや捩れが可能な絶縁性の取れた導体として使用できる。加えて、球面を対称に持つ素子４で連結した素子連５であるため、どこも同一の面であり連結させる際に組み合わせる向きなどを気にせずに連結させることができ、且つ、曲がったままの状態での素子間の回転を滑らかに行うことができる。
【実施例２】
【００１６】
素子１５が持つ連設した異なる大きさの内空１４の略球体の構造物の、大きい球面１１と小さい球面１２とを、円柱１９で繋いだ素子１５であって、小さい球面１２にスリット１３を設けて隣接する大きい球面１１との組合わせを容易にした。複数個のこの素子１５を、大きい球面１１の内空１４に小さい球面１２を組み合わせて連結させた素子連１６を導通可能として構成する。この素子連１６を実施例１において構成されるような、大きい球面１１とスリット１３を設けた小さい球面１２からなる素子１５を連結させた絶縁体素子連１７に入れ込むことで、自由な曲がりや捩れが可能な絶縁性の取れた導体の別の実施例として使用できる。
【実施例３】
【００１７】
異なる大きさの内空の略球体の構造物を連設し、略だるま状に形成した素子２４において、小さい構造物２１の端部を削り取って傾斜２０にすることで大きい構造物２２に小さい構造物２１を嵌め込む連結を容易にすることができる。
【実施例４】
【００１８】
素子３４が持つ連設した異なる大きさの構造物を断面が八角形のような多角形になるように形成した実施例１に記載したような大きい球面３１とスリット３３を設けた小さい球面３２からなる素子３４であって、大きい球面３１に小さい球面３２を組合わせた場合、回転する方向を段階的に固定可能にできる。
【００１９】
以上のように、本発明のフレキシブル導体は、電気的負荷物が軸を中心として回転する構造物などにおいて、負荷物から軸への電気的な接続として使用することで、曲がりや捩れなどによる断線の恐れが少ない安定した電力の提供ができるものである。
【図面の簡単な説明】
【００２０】
【図１】本発明の実施例１における、素子の斜視図である。
【図２】本発明の実施例１における、素子連の斜視図である。
【図３】図２におけるＡ−Ａの断面図である。
【図４】本発明の実施例１における、絶縁体素子連に導体素子連を入れ込み、曲げた状態の断面図である。
【図５】本発明の実施例２における、素子連の断面図である。
【図６】本発明の実施例２における、素子連に絶縁体素子連を入れ込んだ状態の断面図である。
【図７】本発明の実施例３における、端部に傾斜を設けた素子の斜視図である。
【図８】本発明の実施例４における、断面図が八角形となる素子の斜視図である。
【符号の説明】
【００２１】
１、１１、２１、３１    大きい球面
２、１２、２２、３２    小さい球面
３、１３、２３、３３    スリット
４、１４、２４、３４    内空
５、１５、２５、３５    素子
６、１６、２６、３６    素子連
７、１７    絶縁体素子連
８    導体素子連
１９    円柱
２０    傾斜
【図１】
2009140836.tif 000003
【図２】
2009140836.tif 000004
【図３】
2009140836.tif 000005
【図４】
2009140836.tif 000006
【図５】
2009140836.tif 000007
【図６】
2009140836.tif 000008
【図７】
2009140836.tif 000009
【図８】
2009140836.tif 000010